(57)【要約】【課題】赤外線センサ近傍に調和空気が当たることを抑制する。【解決手段】空気調和機の室内機は、吸込口、吹出口並びに内部に配置された熱交換器およびファンを有する筐体と、吹出口からの空気を左右方向に可変する左右風向板と、吹出口からの空気を上下方向に可変する上下風向板と、筐体の左右方向の一方の端部であって、筐体の吹出口の左右端の隣に配置された赤外線センサと、赤外線センサが配置される側の左右風向板の端部と赤外線センサとの間で、吹出口の上面に下向きに設けられる上部整流板と、を備えた。【選択図】図４
2018119783.tif 000002
【特許請求の範囲】
【請求項１】
吸込口、吹出口並びに内部に配置された熱交換器およびファンを有する筐体と、
前記吹出口からの空気を左右方向に可変する左右風向板と、
前記吹出口からの空気を上下方向に可変する上下風向板と、
前記筐体の左右方向の一方の端部であって、前記筐体の前記吹出口の左右端の隣に配置された赤外線センサと、
前記赤外線センサが配置される側の前記左右風向板の端部と前記赤外線センサとの間で、前記吹出口の上面に下向きに設けられる上部整流板と、
を備えた空気調和機の室内機。
【請求項２】
吸込口、吹出口並びに内部に配置された熱交換器およびファンを有する筐体と、
前記吹出口からの空気を左右方向に可変する左右風向板と、
前記吹出口からの空気を上下方向に可変する上下風向板と、
前記筐体の左右方向の一方の端部であって、前記筐体の前記吹出口の左右端の隣に配置された赤外線センサと、
前記赤外線センサが配置される側の前記左右風向板の端部と前記赤外線センサとの間で、運転時に水平吹き状態の前記上下風向板の上面に上向きに設けられる整流板と、
を備えた空気調和機の室内機。
【発明の詳細な説明】
【技術分野】
【０００１】
本発明は、赤外線センサの誤認識を抑制する空気調和機の室内機に関するものである。
【背景技術】
【０００２】
従来の空気調和機の室内機には、筐体の前部の左右方向のいずれか一方の端部に人体の状態等を検出するセンサを配置しているものが知られている（例えば、特許文献１参照）。
【先行技術文献】
【特許文献】
【０００３】
【特許文献１】特開２０１０−２７０９５６号公報
【発明の概要】
【発明が解決しようとする課題】
【０００４】
従来の空気調和機の室内機は、吹出口からの調和空気がセンサ近傍に当たる可能性がある。これにより、調和空気が当たったセンサ或いは調和空気がセンサを備えるケースに当たったセンサで対象物の温度や人体の位置等が検出された場合には、対象物の温度や人体の位置等を誤認識する可能性があるという課題があった。
【０００５】
本発明は、上記課題を解決するためのものであり、赤外線センサ近傍に調和空気が当たることを抑制する空気調和機の室内機を提供することを目的とする。
【課題を解決するための手段】
【０００６】
本発明に係る空気調和機の室内機は、吸込口、吹出口並びに内部に配置された熱交換器およびファンを有する筐体と、前記吹出口からの空気を左右方向に可変する左右風向板と、前記吹出口からの空気を上下方向に可変する上下風向板と、前記筐体の左右方向の一方の端部であって、前記筐体の前記吹出口の左右端の隣に配置された赤外線センサと、前記赤外線センサが配置される側の前記左右風向板の端部と前記赤外線センサとの間で、前記吹出口の上面に下向きに設けられる上部整流板と、を備えたものである。
【０００７】
本発明に係る空気調和機の室内機は、吸込口、吹出口並びに内部に配置された熱交換器およびファンを有する筐体と、前記吹出口からの空気を左右方向に可変する左右風向板と、前記吹出口からの空気を上下方向に可変する上下風向板と、前記筐体の左右方向の一方の端部であって、前記筐体の前記吹出口の左右端の隣に配置された赤外線センサと、前記赤外線センサが配置される側の前記左右風向板の端部と前記赤外線センサとの間で、運転時に水平吹き状態の前記上下風向板の上面に上向きに設けられる整流板と、を備えたものである。
【発明の効果】
【０００８】
本発明に係る空気調和機の室内機によれば、赤外線センサが配置される側の左右風向板の端部と赤外線センサとの間に配置された整流部を備えたことにより、吹出口からの調和空気が赤外線センサを避ける方向に吹き出すため、赤外線センサ近傍に調和空気が当たることを抑制することができる。
【図面の簡単な説明】
【０００９】
【図１】本発明の実施の形態１に係る空気調和機の室内機を示す斜視図である。
【図２】本発明の実施の形態１に係る空気調和機の室内機のノズルを示す外観図である。
【図３】本発明の実施の形態１に係る空気調和機の室内機の制御装置の構成を示すブロック図である。
【図４】本発明の実施の形態１に係る空気調和機の室内機の赤外線センサ周辺を示す拡大図である。
【図５】本発明の実施の形態１に係る空気調和機の室内機の運転停止状態を示す側面図である。
【図６】本発明の実施の形態１に係る空気調和機の室内機の水平吹き運転状態を示す側面図である。
【図７】本発明の実施の形態１に係る空気調和機の室内機の水平吹き運転時での吹出口近傍の気流の流れを示す模式図である。
【図８】本発明の実施の形態１に係る空気調和機の室内機の水平吹き運転時での赤外線センサ周辺の気流の流れを示す拡大図である。
【図９】本発明の実施の形態１に係る空気調和機の室内機の下吹き運転状態を示す側面図である。
【図１０】本発明の実施の形態１に係る空気調和機の室内機の下吹き運転時での吹出口近傍の気流の流れを示す模式図である。
【図１１】本発明の実施の形態２に係る空気調和機の室内機の水平吹き運転時での赤外線センサ周辺の気流の流れを示す拡大図である。
【図１２】本発明の実施の形態３に係る空気調和機の室内機の水平吹き運転時での赤外線センサ周辺の気流の流れを示す拡大図である。
【図１３】本発明の実施の形態４に係る空気調和機の室内機の水平吹き運転時での赤外線センサ周辺の気流の流れを示す拡大図である。
【発明を実施するための形態】
【００１０】
以下、図面に基づいて本発明の実施の形態について説明する。
なお、各図において、同一の符号を付したものは、同一のまたはこれに相当するものであり、これは明細書の全文において共通している。
さらに、明細書全文に表れている構成要素の形態は、あくまで例示であってこれらの記載に限定されるものではない。
【００１１】
実施の形態１．
図１は、本発明の実施の形態１に係る空気調和機の室内機１を示す斜視図である。
空気調和機の室内機１は、回転速度を制御可能なインバータ駆動の圧縮機、四方弁、凝縮側熱交換器、減圧装置、蒸発側熱交換器を接続して構成され、四方弁の切換により冷房サイクルおよび暖房サイクル運転が可能な壁掛け形の室内機である。
図１に示すように、空気調和機の室内機１は、室内機１を構成する筐体である本体２と、室内機１を構成するパネル３と、室内機１を構成し意匠面となるグリル４と、を備える。
【００１２】
また、空気調和機の室内機１は、本体２の上部に設けられた空気の吸込口２２と、本体２の正面下部に設けられて吸込口２２から内部の熱交換器（図示せず）を通過して横流ファン（図示せず）により吹出される空気の吹出口２３と、を備える。
【００１３】
さらに、空気調和機の室内機１は、吹出口２３に配置され、吹出口２３から吹出す風の向きを居住空間の左右方向で変更可能とする左右風向板７ａ、７ｂと、吹出口２３に配置され、吹出口２３から吹出す風の向きを居住空間の高さ方向（上下方向）で変更可能とする上下風向板８ａ、８ｂと、吹出口２３を構成するノズル２８と、室内の床温度、壁面の温度、人体の位置、人体の活動状態について測定する赤外線センサ３５と、を備える。
赤外線センサ３５は、本体２の正面における左右方向の図示右側の一方の端部であって、本体２の吹出口２３の左右方向の隣に配置されている。
【００１４】
なお、ここでは熱交換器の下流側に横流ファンを備えた構成について説明するが、他のファン、例えばプロペラファンを備えていてもよい。また、熱交換器の上流側に他のファン、例えばプロペラファン、を備えた構成でもよい。
【００１５】
図２は、本発明の実施の形態１に係る空気調和機の室内機１のノズル２８を示す外観図である。
図２に示すように、吹出口２３を構成するノズル２８は、吹出口２３から居住空間に吹出す風の向きを左右方向に変更可能とする左右風向板７ａ、７ｂと、左右風向板７ａの向きを変更する際に駆動される左右風向板駆動用モータ２５ａと、左右風向板７ｂの向きを変更する際に駆動される左右風向板駆動用モータ２５ｂと、上下風向板８ａの向きを変更する際に駆動される上下風向板駆動用モータ２４ａと、上下風向板８ｂの向きを変更する際に駆動する上下風向板駆動用モータ２４ｂと、を備える。
【００１６】
左右風向板７ａ、７ｂおよび上下風向板８ａ、８ｂは、それぞれ独立した駆動用モータ２５ａ、２５ｂ、２４ａ、２４ｂを備えているので、赤外線センサ３５によって計測した床温度、壁面温度、人体の位置、人体の活動状態に応じて、例えば、室内の２か所に人が存在した場合には、それぞれ左右に分かれた左右風向板７ａ、７ｂおよび上下風向板８ａ、８ｂが、吹出口２３から左右で異なる風向の気流を吹き出すことで、２か所の空気調和を行うことが可能である。
【００１７】
なお、実施の形態１では、左右で独立して駆動する上下風向板８ａ、８ｂを設置しているが、左右で分かれていない１枚の上下風向板でもよい。また、実施の形態１では、左右で独立して駆動する左右風向板７ａ、７ｂを設置しているが、左右風向板７ａと左右風向板７ｂをリンク機構で接続させることで、１つの左右風向板駆動用モータで駆動してもよい。また、モータではなく手動で左右方向の向きを変えられる構造としてもよい。
【００１８】
図３は、本発明の実施の形態１に係る空気調和機の室内機１の制御装置１２の構成を示すブロック図である。
図３に示す制御装置１２は、例えばマイクロコンピュータからなり、室内機１に内蔵されている。制御装置１２は、入力部１２ａと、演算処理、判断処理などを実行するＣＰＵ１２ｂと、各種の制御設定値や冷房、暖房などの運転モードに応じた制御プログラムが格納されたメモリ１２ｃと、ＣＰＵ１２ｂでの演算結果や判断結果の出力情報に応じた駆動信号を各モータ２５ａ、２５ｂ、２４ａ、２４ｂに出力する出力部１２ｄと、を有して構成されている。
【００１９】
入力部１２ａは、リモコン１１からの運転情報（運転モード、設定温度、設定湿度、風量設定、風向設定など）を受信し、ＣＰＵ１２ｂに入力する。また、入力部１２ａは、左右に回動した赤外線センサ３５により検出された室内空間の温度情報と本体２に内蔵された室温サーミスタ（図示せず）の検出温度（室温）を受信し、ＣＰＵ１２ｂに入力する。この場合、ＣＰＵ１２ｂは、室温を基に温度情報（室内空間の温度分布）とメモリ１２ｃに格納された制御設定値とを照らし合わせて、室内の床温度、壁面の温度、人体の位置、人体の活動状態についての情報を得る。
【００２０】
出力部１２ｄから出力される駆動信号により、ファン用モータ６ａの回転数（風量）が制御され、左側および右側の左右風向板駆動用モータ２５ａ、２５ｂの回転角度が制御される。また、出力部１２ｄからの駆動信号により、左側および右側の上下風向板駆動用モータ２４ａ、２４ｂの回転角度が制御される。
【００２１】
図４は、本発明の実施の形態１に係る空気調和機の室内機１の赤外線センサ３５周辺を示す拡大図である。
赤外線センサ３５は、本体２のケース３６に覆われ、ケース３６と伴に本体２の意匠面よりも突出する。赤外線センサ３５は、吹出口２３と左右方向（水平方向）の隣に並んだ位置に配置されている。赤外線センサ３５は、モータ(図示せず)によって回動し、室内空間の温度情報を広範囲で取得することができる。
【００２２】
上下風向板８ｂには、運転時に上下風向板８ｂが開いた際、赤外線センサ３５と対向する上面に、整流部として、大型整流板４１および小型整流板４３を設けている。
大型整流板４１および小型整流板４３は、赤外線センサ３５が配置される側の左右風向板７ｂの端部と赤外線センサ３５との間に配置される。大型整流板４１および小型整流板４３は、上下風向板８ｂの上面に鉛直方向上向きに板面を吹出口２３の左右方向を遮るように立設している。
【００２３】
大型整流板４１は、小型整流板４３よりも赤外線センサ３５側の上下風向板８ｂの端部（図４では右端部）に設けられる。
大型整流板４１は、上下風向板８ｂと上下風向板駆動用モータ２４ｂとの出力軸を受ける軸受部４４を兼ねている。大型整流板４１は、軸受部４４を兼ねて構成することで、軸受部４４の強度を増すことができ、また、大型整流板４１を別に設ける場合に比べて、使用する樹脂の量を削減できる。
【００２４】
また、大型整流板４１は、小型整流板４３よりも面積が大きく、運転時には、室内機１の側面からはみ出る大きさである。
図５は、本発明の実施の形態１に係る空気調和機の室内機１の運転停止状態を示す側面図である。図５に示すように、大型整流板４１は、運転停止時には、室内機１の側面に収まる大きさである。
【００２５】
図４に示すように、吹出口２３の上面には、整流部として、上部整流板４２が設けられている。上部整流板４２は、赤外線センサ３５が配置される側の左右風向板７ｂの端部と赤外線センサ３５との間に配置される。上部整流板４２は、吹出口２３の上面に鉛直方向下向きに板面を吹出口２３の左右方向を遮るように立設している。
【００２６】
実施の形態１では、大型整流板４１および小型整流板４３が上下風向板８ｂに２つ設けられると共に、上部整流板４２が吹出口２３の上面に１つ設けられている。
上部整流板４２は、上下風向板８ｂに設けられた２つの大型整流板４１および小型整流板４３の間に配置されている。
すなわち、大型整流板４１、小型整流板４３および上部整流板４２は、いずれも赤外線センサ３５が配置された側の左右風向板７ｂの端部と、赤外線センサ３５と、の間に位置する。大型整流板４１、小型整流板４３および上部整流板４２は、赤外線センサ３５側から順番に、大型整流板４１、上部整流板４２、小型整流板４３の順で配置されている。
【００２７】
吹出口２３には、赤外線センサ３５が配置された側の左右風向板７ｂの端部と、赤外線センサ３５と、の間に、上下風向板８ｂは配置されているが、調和空気が吹出さない疑似風路部４５が設けられている。疑似風路部４５は、吹出口２３の開口の一部の内部をカバーで塞いでいる。
【００２８】
疑似風路部４５内部には、左右風向板駆動用モータ２５ｂや、冷房時に発生したドレン水を室外へ排出するドレンホースを接続するドレン排出穴（図示せず）などが設けられる。疑似風路部４５は、調和空気は吹出さないものの、左右風向板７ｂを図示右側に向けた場合には、風路の側壁面が近傍に無いために、風路の側壁面が近傍に有る場合に比べてより右側へ気流を送り出すことができる。
【００２９】
図６は、本発明の実施の形態１に係る空気調和機の室内機１の水平吹き運転状態を示す側面図である。図７は、本発明の実施の形態１に係る空気調和機の室内機１の水平吹き運転時での吹出口２３近傍の気流の流れを示す模式図である。図８は、本発明の実施の形態１に係る空気調和機の室内機１の水平吹き運転時での赤外線センサ３５周辺の気流の流れを示す拡大図である。
【００３０】
図６〜図８に示す水平吹きの状態では、上下風向板８ｂが概ね水平吹きで、左右風向板７ｂが図７、図８に示す右側（赤外線センサ３５側）に向いて運転している。
まず、吹出口２３から出た調和空気は、左右風向板７ｂによって図７、図８に示す右側に向けられる。次に、調和空気は、上下風向板８ｂの赤外線センサ３５と対向しない側の下面と、対向する側の上面と、を流れる２つの気流に分かれる。
上下風向板８ｂの赤外線センサ３５と対向しない側の下面を流れる調和空気は、左右風向板７ｂによって曲げられた角度で室内空間へと流れて届けられる。
【００３１】
一方、上下風向板８ｂの赤外線センサ３５と対向する側の上面を流れる調和空気は、上下風向板８ｂ上に設けられた小型整流板４３によって、一部が正面方向へと偏流され、小型整流板４３の上方を流れる調和空気が、赤外線センサ３５側へと流れる。
小型整流板４３の上方から赤外線センサ３５側へと流れた調和空気は、吹出口２３の上面（ノズル２８）に設けられた上部整流板４２で一部が正面方向へと偏流され、上部整流板４２の下方を流れる調和空気が、赤外線センサ３５側へと流れる。
上部整流板４２の下方から赤外線センサ３５側へと流れた調和空気は、上下風向板８ｂの上面側の風路を遮蔽する大型整流板４１により正面方向へと偏流される。
【００３２】
特に、小型整流板４３、上部整流板４２および大型整流板４１の順に赤外線センサ３５側へと流れる調和空気は、これら３つの小型整流板４３、上部整流板４２および大型整流板４１が上下方向で互い違いに立設されて構成された迷路構造を通過する際の流路抵抗が赤外線センサ３５側に行くほど高くなり、正面方向へと徐々に偏流させられ、大型整流板４１では全てを正面方向へと偏流させられる。
また、小型整流板４３は、整流効果がある一方で、大型化すると冷房運転時には負圧面側に結露が生じる原因となるため、小型に形成して赤外線センサ３５側への漏れ流れを生じさせて、小型整流板４３の圧力面と負圧面の温度差を小さくすることで、結露を抑制している。上部整流板４２でも同様である。一方、小型整流板４３よりも赤外線センサ３５側に上部整流板４２および大型整流板４１を設けることで、小型整流板４３および上部整流板４２では漏れ流れを生じているが、赤外線センサ３５側に行くほど赤外線センサ３５側への漏れ流れが減少し、赤外線センサ３５への気流到達を抑制することができる。
【００３３】
以上３つの小型整流板４３、上部整流板４２および大型整流板４１によって、吹出口２３における赤外線センサ３５近傍の調和空気は、正面方向へと整流されるため、調和空気が赤外線センサ３５および赤外線センサ３５を覆うケース３６に直接当たることを回避できる。
【００３４】
以上の３つの整流板がない場合には、吹出口２３より出た調和気流が赤外線センサ３５を覆うケース３６に触れ、ケース３６内の温度は、室温とは異なって吹出口２３より出た調和空気の温度の変動と伴に変化する。このため、赤外線センサ３５が検出する赤外線の量がケース３６の温度により乱されることで正確ではなくなり、赤外線センサ３５は床温度、壁面の温度、人体の位置、人体の活動状態についての情報を正確に取得することができなくなる。これに対応するために、調和空気がケース３６に当たらないように上下風向板８ａ、８ｂの向きに制約を設ける必要が生じ、調和空気を水平方向へ吹出すことができず、冷風感を抑制した運転などが困難になってしまう。
【００３５】
しかし、実施の形態１では、小型整流板４３、上部整流板４２および大型整流板４１により、吹出口２３における赤外線センサ３５近傍の調和空気は正面方向へと整流されるため、調和空気が赤外線センサ３５を覆うケース３６に直接接触することを回避でき、ケース３６内の温度は室温と同等に保つことができ、赤外線センサ３５が検出する赤外線の量を正確にし、赤外線センサ３５は床温度、壁面の温度、人体の位置、人体の活動状態についての情報を正確に取得することができる。
また、実施の形態１では、調和空気がケース３６に当たらないように上下風向板８ａ、８ｂの向きに制約を設ける必要もなく、調和空気を人体へ向けて赤外線センサ３５側の水平方向へ吹出すことができ、冷風感を抑制した運転なども実施することができる。
【００３６】
図９は、本発明の実施の形態１に係る空気調和機の室内機１の下吹き運転状態を示す側面図である。図１０は、本発明の実施の形態１に係る空気調和機の室内機１の下吹き運転時での吹出口近傍の気流の流れを示す模式図である。
【００３７】
図９、図１０に示す下吹きの状態では、上下風向板８ｂが下吹きで、左右風向板７ｂが図１０に示す右側（赤外線センサ３５側）に向いて運転している。
まず、吹出口２３から出た調和空気は、左右風向板７ｂによって図１０に示す右側に向けられる。
次に上下風向板８ｂの赤外線センサ３５と対向しない側の下面に沿って左右風向板７ｂによって曲げられた角度で室内空間へと気流が届けられる。
【００３８】
一方、上下風向板８ｂの赤外線センサ３５と対向する側の上面には、ほぼ調和空気は流れることはなく、赤外線センサ３５近傍に調和空気が到達することはない。このため、赤外線センサ３５が検出する赤外線の量を正確にし、赤外線センサ３５は床温度、壁面の温度、人体の位置、人体の活動状態についての情報を正確に取得することができる。
特に暖房運転時には、上下風向を下吹きに設定し、室内の床面を直接暖めることで室内の快適性が向上するため、気流の左右方向の広角性が重要となるが、実施の形態１では下吹き時には小型整流板４３、上部整流板４２および大型整流板４１による整流効果はないため、左右方向の気流の広角性を損なうことがない。
【００３９】
なお、実施の形態１では、３つの小型整流板４３、上部整流板４２および大型整流板４１を設けた場合について説明したが、整流板の数は増やしてもよいし、少なくても整流板の大きさや左右風向板の可動範囲を制約することで、赤外線センサ３５近傍への調和空気の到達は回避が可能である。
【００４０】
また、実施の形態１では、疑似風路部４５を設けた場合について説明したが、疑似風路部４５を設けない場合でも同様に、整流板を設けることで赤外線センサ３５近傍への調和空気の到達は回避が可能である。
【００４１】
実施の形態２．
図１１は、本発明の実施の形態２に係る空気調和機の室内機１の水平吹き運転時での赤外線センサ３５周辺の気流の流れを示す拡大図である。
図１１に示すように、実施の形態２では、整流板として、上部整流板４２のみを備えている。
実施の形態１で大型整流板４１が設けられていた赤外線センサ３５側の上下風向板８ｂの端部には、軸受部４４のみが設けられる。
【００４２】
図１１の水平吹きの状態は、上部整流板４２のみを備える室内機１の暖房運転時に、上下風向水平吹き、左右風向右吹きに運転している。
暖房運転時には、疑似風路部４５周辺では、吹出口２３から出た暖気は、空気密度が低く、上下風向板８ｂの上面よりも上方である風路上部側が主流となる。このため、吹出口２３より出た暖気は、上部整流板４２で正面方向に整流されるので、赤外線センサ３５近傍に到達しない。
【００４３】
実施の形態３．
図１２は、本発明の実施の形態３に係る空気調和機の室内機１の水平吹き運転時での赤外線センサ３５周辺の気流の流れを示す拡大図である。
図１２に示すように、実施の形態３では、整流板として、小型整流板４３のみを備えている。
実施の形態１で大型整流板４１が設けられていた赤外線センサ３５側の上下風向板８ｂの端部には、軸受部４４のみが設けられる。
【００４４】
図１２の水平吹きの状態は、上下風向板８ｂ上に設けられた小型整流板４３を備えた室内機１の冷房運転時に、上下風向水平吹き、左右風向右吹きに運転している。
冷房運転時には、疑似風路部４５周辺では、吹出口２３から出た冷気は空気密度が高く、上下風向板８ｂの上面に沿う流れが主流となる。このため、吹出口２３より出た冷気は、小型整流板４３で正面方向に整流されるので、赤外線センサ３５近傍に到達しない。
【００４５】
実施の形態４．
図１３は、本発明の実施の形態４に係る空気調和機の室内機１の水平吹き運転時での赤外線センサ２５周辺の気流の流れを示す拡大図である。
図１３に示すように、実施の形態４では、整流板として、上下風向板８ｂ上に設けられた小型整流板４３と、吹出口２３の上面に設けられた上部整流板４２と、を備えている。
実施の形態１で大型整流板４１が設けられていた赤外線センサ３５側の上下風向板８ｂの端部には、軸受部４４のみが設けられる。
【００４６】
図１３の水平吹きの状態は、小型整流板４３および上部整流板４２を備えた室内機１の冷房運転時または暖房運転時に、上下風向水平吹き、左右風向右吹きに運転している。
冷房運転時には、疑似風路部４５周辺では、吹出口２３から出た冷気は、空気密度が高く、上下風向板８ｂの上面に沿う流れが主流となる。このため、吹出口２３より出た冷気は、小型整流板４３で正面方向に整流され、赤外線センサ３５近傍に到達しない。
一方、暖房運転時には、疑似風路部４５周辺では、吹出口２３から出た暖気は、空気密度が低く、上下風向板８ｂの上面よりも上方の風路上部側が主流となる。このため、吹出口２３より出た暖気は、上部整流板４２で正面方向に整流され、赤外線センサ３５近傍に到達しない。
実施の形態４では、冷房運転時でも暖房運転時でも、赤外線センサ３５近傍への気流の到達を抑制することができる。
【００４７】
以上の実施の形態１〜４によると、大型整流板４１、小型整流板４３および上部整流板４２は、赤外線センサ３５が配置される側の左右風向板７ｂの端部と赤外線センサ３５との間に配置されている。これによれば、吹出口２３から流出する左右方向の気流を赤外線センサ３５近傍に到達する前に大型整流板４１、小型整流板４３および上部整流板４２で正面方向に整流でき、赤外線センサ３５近傍に風が当たることによる誤検知を抑制することができる。すなわち、赤外線センサ３５を覆うケース３６が室温とほぼ同一となり、赤外線センサ３５が検出する赤外線の量がケース３６の温度により乱されず正確になり、赤外線センサ３５は床温度、壁面の温度、人体の位置、人体の活動状態についての情報を正確に取得することができる。
【００４８】
大型整流板４１および小型整流板４３は、上下風向板８ｂに設けられている。これによれば、吹出口２３から流出する左右方向の気流を赤外線センサ３５に到達する前に大型整流板４１および小型整流板４３で正面方向に整流でき、赤外線センサ３５近傍に風が当たることによる誤検知を抑制することができる。
【００４９】
上部整流板４２は、吹出口２３の上面に設けられている。これによれば、吹出口２３から流出する左右方向の気流を赤外線センサ３５に到達する前に上部整流板４２で正面方向に整流でき、赤外線センサ３５近傍に風が当たることによる誤検知を抑制することができる。
【００５０】
上部整流板４２は、大型整流板４１および小型整流板４３の間に配置されている。これによれば、吹出口２３から流出する左右方向の気流を赤外線センサ３５に到達する前に、２つの大型整流板４１および小型整流板４３とその間に配置された上部整流板４２とが構成する迷路構造でより赤外線センサ３５に到達するまでの流路抵抗を高めて正面方向に整流でき、赤外線センサ３５近傍に風が当たることによる誤検知を抑制することができる。
【００５１】
大型整流板４１は、上下風向板８ｂの軸受部４４を構成する。これによれば、上下風向板８ｂの軸受部４４の強度を向上することができる。
【００５２】
赤外線センサ３５が配置される側の大型整流板４１は、他方の小型整流板４３よりも面積が大きい。これによれば、赤外線センサ３５に到達するまでの流路抵抗を高めつつ、使用する材料の量を削減することができる。また、小型整流板４３は、整流効果がある一方で、大型化すると冷房運転時には負圧面側に結露が生じる原因となるため、漏れ流れを生じさせて、小型整流板４３の圧力面と負圧面の温度差を小さくすることで、結露を抑制している。一方、赤外線センサ３５側に大型整流板を設けることで、小型整流板４３では漏れ流れを生じているが赤外線センサ３５への気流到達を抑制することができる。
【符号の説明】
【００５３】
１  室内機、２  本体、３  パネル、４  グリル、６ａ  ファン用モータ、７ａ  左右風向板、７ｂ  左右風向板、８ａ  上下風向板、８ｂ  上下風向板、１１  リモコン、１２  制御装置、１２ａ  入力部、１２ｂ  ＣＰＵ、１２ｃ  メモリ、１２ｄ  出力部、２２  吸込口、２３  吹出口、２４ａ  上下風向板駆動用モータ、２４ｂ  上下風向板駆動用モータ、２５ａ  左右風向板駆動用モータ、２５ｂ  左右風向板駆動用モータ、２８    ノズル、３５  赤外線センサ、３６  ケース、４１  大型整流板、４２  上部整流板、４３  小型整流板、４４  軸受部、４５  疑似風路部。
【図１】
2018119783.tif 000003
【図２】
2018119783.tif 000004
【図３】
2018119783.tif 000005
【図４】
2018119783.tif 000006
【図５】
2018119783.tif 000007
【図６】
2018119783.tif 000008
【図７】
2018119783.tif 000009
【図８】
2018119783.tif 000010
【図９】
2018119783.tif 000011
【図１０】
2018119783.tif 000012
【図１１】
2018119783.tif 000013
【図１２】
2018119783.tif 000014
【図１３】
2018119783.tif 000015
【手続補正書】
【提出日】平成30年5月21日(2018.5.21)
【手続補正１】
【補正対象書類名】明細書
【補正対象項目名】０００６
【補正方法】変更
【補正の内容】
【０００６】
本発明に係る空気調和機の室内機は、吸込口、吹出口並びに内部に配置された熱交換器およびファンを有する筐体と、前記吹出口から吹き出す空気を左右方向に変更可能とする左右風向板と、前記吹出口から吹き出す空気を上下方向に変更可能とする上下風向板と、前記筐体の左右方向の一方の端部であって、前記筐体の前記吹出口の左右端の隣に配置された赤外線センサと、前記上下風向板に設けられ、前記赤外線センサが配置される側の前記左右風向板の端部と前記赤外線センサとの間に位置し、前記吹出口から出る左右方向の気流を正面方向に整流する整流板と、を備えたものである。
【手続補正２】
【補正対象書類名】明細書
【補正対象項目名】０００７
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
吸込口、吹出口並びに内部に配置された熱交換器およびファンを有する筐体と、
前記吹出口から吹き出す空気を左右方向に変更可能とする左右風向板と、
前記吹出口から吹き出す空気を上下方向に変更可能とする上下風向板と、
前記筐体の左右方向の一方の端部であって、前記筐体の前記吹出口の左右端の隣に配置された赤外線センサと、
前記上下風向板に設けられ、前記赤外線センサが配置される側の前記左右風向板の端部と前記赤外線センサとの間に位置し、前記吹出口から出る左右方向の気流を正面方向に整流する整流板と、
を備えた空気調和機の室内機。
【請求項２】
前記整流板は、側面視にて、当該室内機の運転停止時には、当該室内機の側面内に収まり、当該室内機の運転時には、当該室内機の側面から外に出る請求項１に記載の空気調和機の室内機。
【請求項３】
前記上下風向板の向きを変更する際に駆動される上下風向板駆動用モータを備え、
前記整流板は、前記上下風向板駆動用モータの出力軸を受ける軸受部を兼ねて構成される請求項１又は２に記載の空気調和機の室内機。